(57)【要約】【課題】ひげや髪のカット長を容易に調整することができ、また、変化に富んだ染毛ができる新規な構成のコームを提供する。【解決手段】第１の厚みを有する櫛歯が列状に並んだ第１の櫛歯列１ａと、第２の厚みを有する櫛歯が列状に並んだ第２の櫛歯列１ｂと、第３の厚みを有する櫛歯が列状に並んだ第３の櫛歯列１ｃと、第４の厚みを有する櫛歯が列状に並んだ第４の櫛歯列１ｄとを有する。これらの厚みは、コーム１の平坦な一方の表面と、この一方の表面と対向した他方の表面との間隔に相当し、かつ、他方の表面に段差を設けることによって、互いに異なっている。【選択図】図１
2005152464.tif 000002
【特許請求の範囲】
【請求項１】
コームにおいて、
第１の厚みを有する櫛歯が列状に並んだ第１の櫛歯列と、
前記第１の櫛歯列とは異なる部位に設けられ、前記第１の厚みとは異なる第２の厚みを有する櫛歯が列状に並んだ第２の櫛歯列と
を有することを特徴とするコーム。
【請求項２】
コームにおいて、
第１の厚みを有する櫛歯が列状に並んだ第１の櫛歯列と、
前記第１の櫛歯列とは異なる部位に設けられ、第２の厚みを有する櫛歯が列状に並んだ第２の櫛歯列とを有し、
前記第１の厚みおよび前記第２の厚みは、前記コームの一方の表面と、当該一方の表面と対向した他方の表面との間隔に相当し、かつ、前記他方の表面に段差を設けることによって、互いに異なっていることを特徴とするコーム。
【請求項３】
コームにおいて、
第１の厚みを有する櫛歯が列状に並んだ第１の櫛歯列と、
前記第１の櫛歯列の延在方向に沿って設けられているとともに、第２の厚みを有する櫛歯が列状に並んだ第２の櫛歯列と、
前記第１の櫛歯列の付け根側において前記第１の櫛歯列と対称に設けられているとともに、第３の厚みを有する櫛歯が列状に並んだ第３の櫛歯列と、
前記第３の櫛歯列の延在方向に沿って設けられているとともに、第４の厚みを有する櫛歯が列状に並んだ第４の櫛歯列とを有し、
前記第１の厚み、前記第２の厚み、前記第３の厚みおよび前記第４の厚みは、前記コームの一方の表面と、当該一方の表面と対向した他方の表面との間隔に相当し、かつ、前記他方の表面に段差を設けることによって、互いに異なっていることを特徴とするコーム。
【発明の詳細な説明】
【技術分野】
【０００１】
本発明は、ひげ、髪、獣毛や起毛繊維などをカットしたり、染めたりする際に用いられるコームに関する。
【背景技術】
【０００２】
例えば、特許文献１には、髪の長さを簡単に揃えることができる調髪用くし（コーム）が開示されている。この調髪用くしは、握持体と、握持体に設けられた固定くし体と、握持体に所定の間隔で形成された複数の差込み孔と、これらの差込み孔に差込み可能な調整くし体とを有する。ユーザは、揃えたい髪の長さ（カット長）に応じて、いずれかの差込み孔に調整くし体を差込む。これにより、固定くし体および差込まれた調整くし体は、ユーザが選択した間隔で平行に保持される。髪をカットする際、ユーザは、固定くし体２を地肌に当てて、髪を持上げるようにし、調整くし体から突出する髪をカットすれば、両くし体の間隔と等しいカット長に髪を揃えることができる。
【特許文献１】実公昭５７−１２９６２号公報
【発明の開示】
【発明が解決しようとする課題】
【０００３】
本発明の目的は、ひげ、髪、獣毛や起毛繊維などのカット長を容易に調整することができ、また、変化に富んだ染毛ができる新規な構成のコームを提供することである。
【課題を解決するための手段】
【０００４】
かかる課題を解決するために、第１の発明は、第１の厚みを有する櫛歯が列状に並んだ第１の櫛歯列と、第１の櫛歯列とは異なる部位に設けられ、第１の厚みとは異なる第２の厚みを有する櫛歯が列状に並んだ第２の櫛歯列とを有するコームを提供する。
【０００５】
第２の発明は、第１の厚みを有する櫛歯が列状に並んだ第１の櫛歯列と、第１の櫛歯列とは異なる部位に設けられ、第２の厚みを有する櫛歯が列状に並んだ第２の櫛歯列とを有するコームを提供する。ここで、第１の厚みおよび第２の厚みは、コームの一方の表面と、この一方の表面と対向した他方の表面との間隔に相当し、かつ、他方の表面に段差を設けることによって、互いに異なっている。
【０００６】
第３の発明は、第１の厚みを有する櫛歯が列状に並んだ第１の櫛歯列と、第１の櫛歯列の延在方向に沿って設けられているとともに、第２の厚みを有する櫛歯が列状に並んだ第２の櫛歯列と、第１の櫛歯列の付け根側において第１の櫛歯列と対称に設けられているとともに、第３の厚みを有する櫛歯が列状に並んだ第３の櫛歯列と、第３の櫛歯列の延在方向に沿って設けられているとともに、第４の厚みを有する櫛歯が列状に並んだ第４の櫛歯列とを有するコームを提供する。ここで、第１の厚み、第２の厚み、第３の厚みおよび第４の厚みは、コームの一方の表面と、この一方の表面と対向した他方の表面との間隔に相当し、かつ、他方の表面に段差を設けることによって、互いに異なっている。
【発明の効果】
【０００７】
本発明によれば、ひげ、髪、獣毛や起毛繊維などをカットする際、所望のカット長に応じて、コームに形成された複数の櫛歯列のいずれかを選択的に使用することで、カット長を容易に調整することができる。また、これらを染める際も、同様に櫛歯列を選択的に使用することで、毛長に応じた染毛や、メッシュを入れることが容易であり、変化に富んだ染毛ができる。
【発明を実施するための最良の形態】
【０００８】
図１は、本実施形態にかかるコームの全体斜視図である。コーム１は、一例として、ひげのカット長を段階的に調節可能なひげ用コームであり、透明なプラスチックで一体形成されている。このコーム１には、縦横方向に２×２の部位が存在し、互いに隣接した部位は、コーム１の上表面に形成された段差を介して、一体化されている。コーム１は、一例として、100mm×46mmのサイズを有するとともに、46mm×15mmの櫛歯列が４つ形成されている。なお、コーム１の角部は、実際には曲線状に面取りされている。
【０００９】
図１において、最も肉薄な左奥の部位には、第１の櫛歯列１ａが形成されている。第１の櫛歯列１ａは、例えば1.5mmの厚みＨaを有する櫛歯を、コーム１の長手方向に列状に並べることによって構成されている。２番目に肉薄な右奥の部位には、第２の櫛歯列１ｂが形成されている。第２の櫛歯列１ｂは、例えば3.0mmの厚みＨbを有する櫛歯を、コーム１の長手方向に列状に並べることによって構成されている。第２の櫛歯列１ｂは、第１の櫛歯列１ａの同一列上、すなわち、第１の櫛歯列１ａの延在方向に沿って設けられている。また、３番目に肉薄な左手前の部位には、第３の櫛歯列１ｃが形成されている。第３の櫛歯列１ｃは、例えば5.0mmの厚みＨcを有する櫛歯を、コーム１の長手方向に列状に並べることによって構成されている。この第３の櫛歯列１ｃは、第１の櫛歯列１ａの付け根側において、第１の櫛歯列１ａと対称に、換言すれば、櫛歯列１ａ，１ｃにおける櫛歯の先端が逆向きになるように設けられている。さらに、最も肉厚な右手前の部位には、第４の櫛歯列１ｄが形成されている。第４の櫛歯列１ｄは、例えば7.0mmの厚みＨdを有する櫛歯を、コーム１の長手方向に列状に並べることによって構成されている。第４の櫛歯列１ｄは、第３の櫛歯列１ｃの同一列上、すなわち、第３の櫛歯列１ｃの延在方向に沿って設けられている。
【００１０】
図２は、図１のＡ方向から見たコーム１の前面図であり、図３は、図１のＢ方向から見たコーム１の後面図である。また、図４は、図１のＣ方向から見たコーム１の左側面図であり、図５は、図１のＤ方向から見たコーム１の右側面図である。４つの櫛歯列１ａ〜１ｄの厚みＨa〜Ｈdは、コーム１の平坦な一方の表面（以下、基準面Ｓという）と、この基準面Ｓと対向した他方の表面（以下、対向面という）との間隔に相当する。上述したように、それぞれの厚みＨa〜Ｈdの値は互いに異なっているが、本実施形態では、面一な基準面Ｓに対して対向面側に段差を設けることによって、これを実現している。
【００１１】
具体的には、図２に示すように、第３の櫛歯列１ｃの対向面は、基準面ＳからＨc＝5.0mmだけ離間しており、第４の櫛歯列１ｄの対向面は、基準面ＳからＨd＝7.0mmだけ離間している。そして、これらの櫛歯列１ｃ，１ｄの対向面は、（Ｈd−Ｈc）の段差高を有する段差１ｅを介して互いに連結している。つぎに、図３に示すように、第１の櫛歯列１ａの対向面は、基準面ＳからＨa＝1.5mmだけ離間しており、第２の櫛歯列１ｂの対向面は、基準面ＳからＨb＝3.0mmだけ離間している。そして、これらの櫛歯列１ａ，１ｂの対向面は、（Ｈb−Ｈa）の段差高を有する段差１ｆを介して互いに連結している。また、図４に示すように、基準面ＳからＨa＝1.5mmだけ離間した第１の櫛歯列１ａの対向面と、基準面からＨc＝5.0mmだけ離間した第３の櫛歯列１ｃの対向面とは、（Ｈc−Ｈa）の段差高を有する段差１ｇを介して互いに連結している。さらに、図５に示すように、基準面ＳからＨb＝3.0mmだけ離間した第２の櫛歯列１ｂの対向面と、基準面からＨd＝7.0mmだけ離間した第４の櫛歯列１ｄの対向面とは、（Ｈd−Ｈb）の段差高を有する段差１ｈを介して互いに連結している。
【００１２】
つぎに、上述した構成を有するコーム１の使用方法について説明する。ユーザは、櫛歯のない真ん中の部分を手に持って、平坦な基準面Ｓを顔の地肌に当てる。ユーザは、４つの櫛歯列１ａ〜１ｄのいずれかをカットしたいひげの長さに応じて選択し、これを用いてでひげを梳くようにする。そして、ユーザは、櫛歯列からはみ出たひげを、小型ハサミで切って、ひげの長さを整える。
【００１３】
このように、本実施形態によれば、ひげをカットする際、所望のカット長に応じて、コーム１の異なる部位に形成された櫛歯列１ａ〜１ｄのいずれかを選択的に使用することで、カット長を容易に調整することができる。すなわち、第１の櫛歯列１ａを使用し、これからはみ出たひげをカットすれば、ひげを1.5mmに揃えることができる。同様に、第２の櫛歯列１ｂを使用した場合には3.0mm、第３の櫛歯列１ｃを使用した場合には5.0mm、第４の櫛歯列１ｄを使用した場合には7.0mmに、ひげを揃えることができる。
【００１４】
また、本実施形態では、地肌に当る基準面Ｓ側ではなく、地肌に当らない対向面側に段差１ｅ〜１ｈを設けることで、櫛歯列１ａ〜１ｄの厚みＨa〜Ｈdを設定している。これにより、地肌に当る基準面Ｓには、段差を設ける必要がなく平坦に形成することができる。その結果、ユーザがコーム１を使用する際、段差が地肌に当ることにより生じる違和感や不快感を回避できるので、コーム１の使用感の向上を図ることができる。それとともに、地肌に対する基準面Ｓの接触性が高まるので、簡単かつ精度よく、ひげの長さを均一に揃えることが可能となる。
【００１５】
なお、上述した実施形態では、４種類の櫛歯の厚みを有するコーム１について説明したが、本発明は、複数の種類の櫛歯の厚みを有するコームに広く適用可能である。図６は、コーム１の変形例を示す全体斜視図である。このコーム１には、２種類の厚みを有する櫛歯列１ａ，１ｂが設けられている。これらの櫛歯列１ａ，１ｂは、コーム１の異なる部位、すなわち、第１の櫛歯列１ａの延在方向に沿って第２の櫛歯列１ｂが形成されている。
【００１６】
さらに、上述した実施形態にかかるコーム１は、ひげのカットという用途以外にも、もみ上げのカットやスポーツ刈りといった調髪に適用することも可能である。また、ペットなどの動物の毛（獣毛）や、パイル製品やボア製品などの起毛繊維に適用することができる。そして、これらの毛を染める際に用いれば、変化に富んだ染毛も可能である。また、可撓性の材料でコーム１を形成すれば、顔の地肌等に沿って基準面Ｓを撓ませることができるので、ユーザにとってより使い易いコーム１を実現できる。
【図面の簡単な説明】
【００１７】
【図１】本実施形態にかかるコームの全体斜視図
【図２】図１のＡ方向から見たコームの前面図
【図３】図１のＢ方向から見たコームの後面図
【図４】図１のＣ方向から見たコームの左側面図
【図５】図１のＤ方向から見たコームの右側面図
【図６】コームの変形例を示す全体斜視図
【符号の説明】
【００１８】
１  コーム
１ａ  第１の櫛歯列
１ｂ  第２の櫛歯列
１ｃ  第３の櫛歯列
１ｄ  第４の櫛歯列
１ｅ〜１ｈ  段差
【図１】
2005152464.tif 000003
【図２】
2005152464.tif 000004
【図３】
2005152464.tif 000005
【図４】
2005152464.tif 000006
【図５】
2005152464.tif 000007
【図６】
2005152464.tif 000008